(57)【要約】【課題】複数の入金部分に対応して遊技媒体を貸出口から合理的に送出する遊技媒体貸出装置ならびにその利用装置を提供する。【解決手段】遊技媒体貸出装置Ｃは複数の入金部分Ｃ１１・Ｃ１２からの「入金情報」に対応して１つの貸出口Ｃｘから送出する。所定の入金部分Ｃ１２を入金可能にして他の入金部分Ｃ１１を入金不能にできる。複数の入金部分を定常的に入金可能にした場合は、１つの入金部分Ｃ１１から「入金情報」が与えられときに他の入金部分Ｃ１２の入金を保留する。入金部分Ｃ１１からの「入金情報」に対応して遊技媒体の送出を行った直後の送出が異なる入金部分Ｃ１２に対応する際に所定時間だけ遅延させて識別させる。入金部分Ｃ１１・Ｃ１２を識別する表示部分Ｃを設ける。入金部分Ｃ１１の入金を共用収納部分１１０に収納し、入金部分Ｃ１２の入金を個別収納部分１２０に収納する。利用装置として複数の遊技媒体貸出装置Ｃと複数の遊技台Ｂを配置した遊技島装置５００がある。【選択図】      図１
2004350855.tif 000002
【特許請求の範囲】
【請求項１】
入金部分に入金された入金情報に対応して遊技媒体を１つの貸出口から送出する貸出部分を設けた遊技媒体貸出装置であって、
複数の前記入金部分を設けておき、前記複数のうちの所定の前記入金部分のみを入金可能にするとともに、他の前記入金部分を入金不能にする所定入金手段
を具備することを特徴とする遊技媒体貸出装置。
【請求項２】
入金部分に入金された入金情報に対応して遊技媒体を１つの貸出口から送出する貸出部分を設けた遊技媒体貸出装置であって、
複数の前記入金部分を定常的に入金可能に動作させるとともに、各前記入金部分からの各前記入金情報に対応して順次に前記遊技媒体を前記貸出口から送出する入金対応貸出手段
を具備することを特徴とする遊技媒体貸出装置。
【請求項３】
入金部分に入金された入金情報に対応して遊技媒体を１つの貸出口から送出する貸出部分を設けた遊技媒体貸出装置であって、
複数の前記入金部分を定常的に入金可能に動作させるとともに、各前記入金部分からの各前記入金情報に対応して順次に前記遊技媒体を前記貸出口から送出する入金対応貸出手段と、
１つの前記入金部分から前記入金情報が与えられたときに、他の前記入金部分の前記入金を保留する入金保留手段と
を具備することを特徴とする遊技媒体貸出装置。
【請求項４】
入金部分に入金された入金情報に対応して遊技媒体を１つの貸出口から送出する貸出部分を設けた遊技媒体貸出装置であって、
複数の前記入金部分を定常的に入金可能に動作させるとともに、各前記入金部分からの各前記入金情報に対応して順次に前記遊技媒体を前記貸出口から送出する入金対応貸出手段と、
１つの前記入金部分から前記入金情報が与えられたときに、他の前記入金部分の前記入金を保留する入金保留手段と、
１つの前記入金部分からの前記入金情報に対応して前記送出を行った直後に、他の前記入金部分に対応して前記送出を行うときに、先順の前記入金部分とは異なる前記入金部分に対応する前記送出であることを識別させるために、所定時間だけ遅延させて前記送出を行う遅延送出手段と
を具備することを特徴とする遊技媒体貸出装置。
【請求項５】
前記送出を行うときに、前記送出に対応する前記入金部分を識別するための表示を行う表示部分を設けたことを特徴とする請求項１から請求項４のいずれかに記載の遊技媒体貸出装置。
【請求項６】
複数の前記入金部分を、前記入金を共用の収納部分に搬送して収納するための前記入金部分と、前記入金を前記入金部分に後続させた個別の収納部分に収納するための前記入金部分とにより構成したことを特徴とする請求項１から請求項５のいずれかに記載の遊技媒体貸出装置。
【請求項７】
請求項１から請求項５のいずれかに記載の遊技媒体貸出装置を具備することを特徴とする遊技島装置。
【発明の詳細な説明】
【０００１】
【発明の属する技術分野】
この発明は、入金部分に入金された入金情報に対応して遊技媒体を貸出口から送出する貸出部分を設けた遊技媒体貸出装置ならびにその利用装置、例えば、遊技島装置などに関するものである。
【０００２】
【従来の技術】
パチンコ遊技機、スロットマシン遊技機、パチンコ遊技とスロット遊技を兼ね備えたパチ・スロ遊技機などの遊技機（この発明では、これらの遊技機を総称して、遊技台という）Ｂを、図１２のように、複数台配置して、１つのブロック状に構成したものを遊技島装置５００という。この遊技島装置５００は、遊技場の店内において、あたかも複数の「島」を配置したように見えるので、通称を「島」とも呼んでいる。
【０００３】
そして、パチンコ遊技機、パチ・スロ遊技機などに用いる遊技球やスロットマシン遊技機などに用いる遊技用メダルなどは、遊技の媒体として用いられるので、遊技媒体と呼んでいる。
【０００４】
なお、以下の図において、同一符号で示す部分は、いずれかの図において説明する同一符号の部分と同一の機能をもつ部分である。また、上流側または下流側とは、主搬送路Ｍにおける紙幣１００の流れの上流側または下流側をいう。
【０００５】
そして、以下の説明では、入金を紙幣１００として説明するが、入金には、硬貨またはプリペイドカードによる入金を含むものであり、硬貨またはプリペイドカードによる入金の場合には、紙幣の識別部分や収納部分に代えて、硬貨またはプリペイドカードの識別部分と硬貨の収納部分を設けて構成するものである。
【０００６】
こうした遊技島装置５００として、図１２の構成（以下、第１従来技術という）のような構成が周知である。図１２において、遊技島装置５００に、複数台の遊技台Ｂを配置するとともに、遊技台Ｂ間の所要箇所に、遊技台Ｂに使用する遊技媒体を貸し出すための遊技媒体貸出装置Ｃを配置してある。なお、遊技媒体貸出装置Ｃは遊技台Ｂの間に配置されているため、台間機とも呼ばれている。
【０００７】
媒体貸出装置Ｃの入金入口Ｃ１１ａから入金部分Ｃ１１に入れ込まれた入金、例えば、紙幣１００は、副搬送路Ｓから合流搬送部分２を経て主搬送部分４に送り込まれ、主搬送路Ｍに沿って搬送されて、共用の収納部分１１０に収納される。
【０００８】
ここで、紙幣１００を副搬送路Ｓの箇所に設けた紙幣識別部分（図示せず）により、入金が正規のものであるか否か、例えば、紙幣１００が正規のものであるか否か判別し、正規のものだけを取り込むように構成するとともに、正規のものとして判別されたとには、その入金に対応する「入金情報」（図示せず）を下方に配置した貸出部分Ｃ１３に与えることによって、貸出部分Ｃ１３が「入金情報」に対応する数量の遊技媒体（図示せず）を貸出部分Ｃ１３の貸出口Ｃｘから送出する。
【０００９】
上記の第１従来技術の構成では、紙幣１００を共用の収納部分１１０に収納するようにした〔共用収納型〕の構成にしてあるが、こした共用の収納部分１１０に代えて、図１３の構成（以下、第２従来技術という）のように、遊技台Ｂごとに、入金部分Ｃ１２に後続させて配置した個別の収納部分１２０に収納するようにした〔個別収納型〕の構成も周知である。なお、図１３の構成では、個別の収納部分１２０を遊技台Ｂの背面側に配置しているが、この収納部分１２０を入金部分Ｃ１２の下方に配置した構成も周知である。
【００１０】
また、上記の第１従来技術・第２従来技術の構成では、遊技台Ｂを前後に両側に配置しているが、片側のみに配置した構成（以下、第３従来技術という）が周知である。さらに、上記の第１従来技術・第２従来技術の構成では、１台の遊技台Ｂこどに、１台の遊技媒体貸出装置Ｃを配置しているが、複数台、例えば、２台の遊技台Ｂごとに１台の遊技媒体貸出装置Ｃを配置する構成（以下、第４従来技術という）も周知である。
【００１１】
そして、上記の〔共用収納型〕の遊技媒体貸出装置Ｃと、上記の〔個別収納型〕の遊技媒体貸出装置Ｃから貸出部分Ｃ１３を除去したものとを組み合わせて、貸出部分Ｃ１３を共用させるとともに、平常は、〔共用収納型〕の遊技媒体貸出装置Ｃとして動作させ、紙幣１００が主搬送路Ｍに行き詰まるなどの故障が起きたときには、〔共用収納型〕の遊技媒体貸出装置Ｃの入金部分Ｃ１１から貸出部分Ｃ１３に与えている「入金情報」を、切換スイッチ（図示せず）によって、入金部分Ｃ１２からの「入金情報」に切り換えることにより、〔個別収納型〕の遊技媒体貸出装置Ｃとして動作させるようにした構成（以下、第５従来技術という）が周知である。
【００１２】
【特許文献１】
特開２００１−１６２０２７号公報
特許文献１は上記の第５従来技術を開示している。
【００１３】
【発明が解決しようとする課題】
上記の第５従来技術の構成では、入金部分Ｃ１１と入金部分Ｃ１２とにまたがる切換スイッチを設ける必要があるという不都合があるほか、遊技者が間違えて入金部分Ｃ１１に入金してしまうと、入金が戻らなくなるという不都合が生じてしまう。
【００１４】
また、平常は、〔個別収納型〕の遊技媒体貸出装置Ｃとしての機能部分を全く動作させていないので、実質的には、装置の投資面に対する稼働率を低下させているという不都合がある。
このため、こうした不都合のない遊技媒体貸出装置ならびにその利用装置、例えば、遊技島装置の提供が望まれているという課題がある。
【００１５】
【課題を解決するための手段】
この発明は、上記のような入金部分に入金された入金情報に対応して遊技媒体を１つの貸出口から送出する貸出部分を設けた遊技媒体貸出装置において、次の構成を設けることにより、上記の課題を解決したものである。
【００１６】
そして、第１の構成は、
複数の上記の入金部分を設けておき、この複数のうちの所定の上記の入金部分のみを入金可能に動作させるとともに、他の上記の入金部分を入金不能にする所定入金手段を設けて構成したものである。
【００１７】
第２の構成は、
複数の上記の入金部分を定常的に入金可能に動作させるとともに、各上記の入金部分からの各上記の入金情報に対応して順次に上記の遊技媒体を上記の貸出口から送出する入金対応貸出手段
を設けて構成したものである。
【００１８】
第３の構成は、上記の第２の構成に加えて、
１つの上記の入金部分から上記の入金情報が与えられたときに、他の上記の入金部分の上記の入金を保留する入金保留手段
を設けて構成したものである。
【００１９】
第４の構成は、上記の第３の構成に加えて、
１つの上記の入金部分からの上記の入金情報に対応して上記の送出を行った直後に、他の上記の入金部分に対応して上記の送出を行うときに、先順の上記の入金部分とは異なる上記の入金部分に対応する上記の送出であることを識別させるために、所定時間だけ遅延させて上記の送出を行う遅延送出手段
を設けて構成したものである。
【００２０】
第５の構成は、上記の第１の構成〜第４の構成において、
上記の送出を行うときに、上記の送出に対応する上記の入金部分を識別するための表示を行う表示部分を設けて構成したものである。
【００２１】
第６の構成は、上記の第１の構成〜第５の構成において、
複数の上記の入金部分を、上記の入金を共用の収納部分に搬送して収納するための上記の入金部分と、上記の入金を上記の入金部分に後続させた個別の収納部分に収納するための上記の入金部分とにより構成したものである。
【００２２】
第７の構成は、
遊技島装置において、上記の第１の構成〜第６の構成による遊技媒体貸出装置を設けて構成したものである。
【００２３】
【発明の実施の形態】
この発明の実施の形態として、上記の第１従来技術〜第５従来技術による遊技媒体貸出装置と遊技島装置とに、この発明を適用した実施例を説明する。
【００２４】
【実施例】
〔第１実施例〕
以下、図１〜図６により第１実施例を説明する。この第１実施例の構成は、常設的な配置構成を上記の第１従来技術による図１２の〔共用収納型〕の構成にしておき、所要の遊技媒体貸出装置Ｃの箇所に、上記の第２従来技術による図１３の〔個別収納型〕の入金部分Ｃ１２・収納部分１２０の部分だけを補充することにより、入金部分Ｃ１１に代えて、入金部分Ｃ１２による入金と収納部分１２０への収納を可能にする代替構成の実施例である。
【００２５】
なお、上記の代替構成を要する場合として、例えば、第１には、主搬送路Ｍの上流側で搬送が行き詰まるなどの故障が生じた場合、第２には、共用の収納部分１１０が収納限界に達した場合、第３には、収納部分１１０が故障した場合などがあり、上記の第１の場合には、故障した箇所によりも上流側に配置された遊技媒体貸出装置Ｃの箇所のみでよく、上記の第２・第３の場合には全て遊技媒体貸出装置Ｃの箇所になる。
【００２６】
そして、この第１実施例の構成が、上記の第１従来技術による図１２の〔共用収納型〕の構成と異なる箇所は次の箇所である。
第１には、遊技媒体貸出装置Ｃの適宜の箇所、例えば、図１の〔補充前配置〕・図２の〔補充前配置〕のように、各上側に、予め入金部分Ｃ１２・収納部分１２０を補充できるようにした補充用取付場所Ｃ１２Ｘを設けて構成した箇所である。
【００２７】
第２には、図１の〔補充後配置〕・図２の〔補充後配置〕ように、入金部分Ｃ１２・収納部分１２０を補充した際に、入金部分Ｃ１２の制御部５３と、貸出部分Ｃ１３の制御部５１を接続線８１Ｂ３で接続して連結動作させることにより、入金入口Ｃ１２ａから入金部分Ｃ１２に入金されたときの「入金情報」にもとづいて貸出部分Ｃ１３が所要の貸出処理を行うとともに、貸出部分Ｃ１３の「貸出情報」にもとづいて入金部分Ｃ１２が入金の「収納処理」を行えるように構成した箇所である。
【００２８】
第３には、図１の〔補充後配置〕・図２の〔補充後配置〕ように、入金部分Ｃ１２・収納部分１２０を補充した際に、入金部分Ｃ１１による入金を入金不能にする処理、例えば、最も簡単には、入金入口Ｃ１１ａの穴を閉塞する閉塞用蓋Ｃｚを入金入口Ｃ１１ａに差し込んで保持させる「閉塞処置」を行うようにした箇所である。
【００２９】
また、この「閉塞処置」に代えて、図２のように、入金部分Ｃ１１に設けた電源スイッチＳ２を操作して電源を遮断し、または、電源用接続端子を取り外して電源を遮断することにより、入金部分Ｃ１１全体の動作を停止させてもよい。なお、貸出部分Ｃ１３にも、所要の電源操作部分、例えば、上記の電源を遮断した際の誤動作の防止などを行うための電源スイッチＳ１または電源用接続端子による電源操作部分を設けてある。
【００３０】
第４には、図１の〔補充後配置〕・図２の〔補充後配置〕ように、入金部分Ｃ１２・収納部分１２０を補充して遊技媒体貸出装置Ｃを稼働させた後に、上記の故障などが回復した場合には、入金部分Ｃ１２・収納部分１２０を取り外す作業を行うことになる。
【００３１】
しかし、その作業の間だけ、遊技を中断させたのでは、遊技島装置５００の稼働率を低下させることになるので、夜間または休業日などに取り外すまでの間だけ、再び、入金部分Ｃ１１による入金処理を可能にする「復旧処理」を行うようにした箇所である。
【００３２】
このため、「復旧処理」は、最も簡単には、例えば、入金入口Ｃ１１ａに差し込んでいた閉塞用蓋Ｃｚを抜き取って入金入口Ｃ１２ａに差し込んで保持する処置を行うようにした箇所である。
【００３３】
なお、上記の〔補充後配置〕の際に、上記の「閉塞処置」に代えて、入金部分Ｃ１１に設けた電源スイッチＳ２を操作して電源を遮断し、または、電源用接続端子を取り外して電源を遮断することにより、入金部分Ｃ１１全体の動作を停止させた場合には、その電源の遮断を解いて、電源を与えるようにするとともに、入金部分Ｃ１２の電源スイッチＳ３を操作して電源を遮断し、または、電源用接続端子を取り外して電源を遮断するようにしてもよい。この際にも、必要に応じて、電源スイッチＳ１などにより貸出部分Ｃ１３の電源操作を行うようにする。
【００３４】
そして、具体的には、例えば、図３〜図５のように、入金部分Ｃ１１の制御部５２と、入金部分Ｃ１２の制御部５３と、貸出部分Ｃ１３のように制御部５１とは、マイクロコンピュータによる処理機能（以下、ＣＰＵという）７２を主体にして構成した同様の構成にしてある。
【００３５】
そして、入金部分Ｃ１１の制御部５１は、入出力ポート７１を介して、各制御部分に制御信号を与えて、入れ込まれた入金、例えば、紙幣１００の位置や印刷模様などを検出して得られる各検出信号を作業用メモリ７３に記憶するとともに、データ用メモリ７５に記憶されている正規の入金、例えば、紙幣の基準データと比較して、正規のものか否かを判別する処理を処理用メモリ７４に記憶した制御処理用のフローにもとづくプログラムによって行うように構成してある。
【００３６】
また、制御状態などを、例えば、表示ランプＣ２１ａなどによる表示部分７８によって表示し、上記の識別の際に、時計回路７６で時間を計測して、紙幣１００の行き詰まりなどの異常状態を判別し、表示部分７８に表示する。さらに、設定操作部分７７により異常停止などの手動制御を行う。
【００３７】
そして、紙幣１００を正規のものとして判別したときには、制御部５２の入出力ポート７１から「入金情報」を検出信号として、例えば、図３のように構成した貸出部分Ｃ１３の制御部５１に与える。
【００３８】
ここで、一般的には、「入金情報」を制御部５２・制御部５１間の通信で行うが、制御部５２・制御部５１間の距離が比較的に近いので、図４・図２・図３のように、「入金情報」を接続端子８１Ａ２から、接続線８１Ａ３・接続端子８１Ａ１を経て、直接的に、制御部５１の入出力ポート７１に与えるように構成して、通信アドレスを設定する手間を省いてある。
【００３９】
貸出部分Ｃ１３の制御部５１は、図２・図３のように、接続端子８１Ａ１から得られる入金部分Ｃ１１からの「入金情報」を入出力ポート７１から作業用メモリ７３に取り込んで、処理用メモリ７４に予め記憶した制御処理フローによるプログラムによって貸出処理を行うように構成してある。
【００４０】
貸出処理での遊技媒体を送出する機器部分の制御は、処理用メモリに予め記憶した制御処理フローにより、入出力ポート７１を介して、所要の動作部分に各制御信号を与えるとともに、各動作部分の動作状態などを検出した各検出信号を作業用メモリ７３に取り込んでデータ用メモリ７５に記憶した基準データと比較しながら、入金情報に対応する数量の遊技媒体を送出する貸出動作を行うように制御される。
【００４１】
貸出部分Ｃ１３で正常に遊技媒体が貸出されると、その検出信号が入出力ポート７１から作業用メモリ７３に取り込まれて、その検出信号にもとづいて、「貸出情報」が入出力ポート７１から、図３・図２・図４のように、接続端子８１Ａ１・接続線８１Ａ３・接続端子８１Ａを経て、直接的に、入金部分Ｃ１１の制御部５２の入出力ポート７２に与えられるようにすることにより、通信アドレスを設定する手間を省いてある。
【００４２】
「貸出情報」が与えられると、それにもとづいて、制御部５１が入金、例えば、紙幣１００を収納部分１２０に収納するための動作を行わせる制御信号を所要の構成部分に与えて収納する。しかし、遊技媒体が不足して、所要の数量を貸出できないときは、その旨の情報が与えられるので、入れ込まれた入金、例えば、紙幣１００を戻し出すように動作する。
【００４３】
また、主搬送路Ｍの上流部分で紙幣の行き詰まりなどの異常が生じた場合には、収納部分１１０に設けた制御部５４からの制御情報が通信線８１Ｃ３を介して制御部５２に送られてくるので、それにもとづいて、制御部５２が動作の停止処理を行うように構成してある。
【００４４】
収納部分１１０に設けた制御部５４は、例えば、図６のように、制御部５１・５２・５３と同様に、ＣＰＵ７２を主体にして構成してあり、収納部分１１０の制御部５４と入金部分Ｃ１１の制御部５２との間は、比較的遠い多数の入金部分Ｃ１１との通信になるめ、制御部５２・制御部５４の各入出力ポート７１に設けた通信用モジュール８１ｘ、例えば、ＲＳ系通信用ＩＣを介して接続端子８１Ｃ１・８１Ｃ２・通信線８１Ｃ３による通信アドレスを用いた通信にしてある。
【００４５】
入金部分Ｃ１２の制御部５３と貸出部分Ｃ１３の制御部５１との間の制御処理は、入金部分Ｃ１１の制御部５２と貸出部分Ｃ１３の制御部５１との間の「入金情報」「貸出情報」による構成と、同様の動作を、接続端子８１Ｂ２・接続線８１Ｂ３・接続端子８１Ｂ１を介して、連結動作させることにより、通信アドレスを設定する手間を省いてある。
【００４６】
つまり、貸出部分Ｃ１３の制御部５１には、制御部５２・制御部５３に対して、「入金情報」「貸出情報」を直接的に授受を行うための接続端子８１Ａ１・８１Ｂ１の２つの接続端子を設けるだけで済ませられるようにしたものである。なお、接続端子８１Ａ１・８１Ａ２・８１Ｂ１・８１Ｂ２・８１Ｃ１・８１Ｃ２は、例えば、端子板またはコネクターなどである。
【００４７】
また、必要に応じて、貸出部分Ｃ１３での貸出動作が、入金部分Ｃ１１・Ｃ１２のいずれに対応して行われているかを、例えば、表示ランプＣ２１ａ・Ｃ２１ｂを赤色で、表示ランプＣ２２ａ・Ｃ２２ｂを緑色で表示するなどによって、識別できるように構成している。なお、表示ランプＣ２１ａ・Ｃ２１ｂ・Ｃ２２ａ・Ｃ２２ｂは、例えば、発光ダイオードで構成する。
【００４８】
つまり、上記の第１実施例の構成は、概括的には、第１には、
入金部分、例えば、入金部分Ｃ１１に入金された「入金情報」に対応して遊技媒体を１つの貸出口Ｃｘから送出する貸出部分Ｃ１３を設けた遊技媒体貸出装置Ｃにおいて、
複数の上記の入金部分、例えば、入金部分Ｃ１１・Ｃ１２を設けておき、この複数のうちの所定の入金部分、例えば、入金部分Ｃ１２のみを入金可能、例えば、入金入口Ｃ１２ａから入れ込まれた入金、例えば、紙幣１００によって「入金情報」が得られるように動作させるとともに、他の上記の入金部分、例えば、入金部分Ｃ１１を入金不能、例えば、入金入口Ｃ１１ａを閉塞蓋Ｃｚで閉塞して入金ができない状態にする所定入金手段
を設けた上記の第１の構成を構成していることになるものである。
【００４９】
第２には、上記の第１の構成において、
上記の送出、すなわち、貸出部分Ｃ１３から遊技媒体の送出を行うときに、上記の送出に対応する上記の入金部分、例えば、入金部分Ｃ１１・Ｃ１２のいずれかを識別するための表示、例えば、表示ランプ灯Ｃ２１ａ・Ｃ２１ｂ・Ｃ２２ａ・Ｃ２２ｂによる表示を行う表示部分を設けた上記の第５の構成を構成していることになるものである。
【００５０】
第３には、上記の第１の構成において、
複数の上記の入金部分、例えば、入金部分Ｃ１１・Ｃ１２を、上記の入金、例えば、紙幣１００を共用の収納部分１１０に搬送して収納するための上記の入金部分、例えば入金部分Ｃ１１と、上記の入金、例えば、紙幣１００を上記の入金部分、例えば、入金部分Ｃ１２に後続させた個別の収納部分１２０に収納するための上記の入金部分、例えば、入金部分Ｃ１２とにより構成した上記の第６の構成を構成していることになるものである。
【００５１】
そして、第４には、遊技島装置５００において、上記の第１の構成・第５の構成・第６の構成による遊技媒体貸出装置Ｃを設けた上記の第７の構成を構成していることになるものである。
【００５２】
〔第２実施例〕
以下、図７〜図１１により実施例を説明する。まず、図７の構成は、上記の第１従来技術による図１２の〔共用収納型〕の遊技媒体貸出装置Ｃにおける入金部分Ｃ１１・貸出部分Ｃ１３と同様の構成を設けるとともに、上記の第２従来技術による図１３の〔個別収納型〕の遊技媒体貸出装置Ｃのうちの入金部分Ｃ１２を設けて構成したものである。
【００５３】
つまり、上記の第１実施例における図１の〔補充後配置〕・図２の〔補充後配置〕と同様の構成にしてあるが、２つの入金部分Ｃ１１・Ｃ１２には、いずれも、閉塞蓋Ｃｚを設けることなく、両方とも定常的に入金可能に動作させているものである。
【００５４】
こうした構成にする場合は、第１には、上記の第１実施例の構成において、故障などが回復したときに、入金部分Ｃ１２を入金不能の状態にすることは、折角、配置している装置の投資面に対する稼働率を低下させることになるので、入金部分Ｃ１１・Ｃ１２の両方を入金可能の状態して使用する場合であり、第２には、入金部分Ｃ１１・Ｃ１２の両方を常設的に配置しておくとともに、入金部分Ｃ１１・Ｃ１２の両方を入金可能の状態して使用する場合である。
【００５５】
上記の第１の場合には、図２〜図６のような接続線８１Ａ３・８１Ｂ３と通信線８１Ｃ３とによる構成のままを用いるが、上記の第２の場合には、図２〜図６のような接続線８１Ａ３・８１Ｂ３と通信線８１Ｃ３とによる構成、または、制御部５１・５２・５３を全て、制御部５４と同様に、図１０のように、通信用モジュール８１ｘ、例えば、ＲＳ系通信用ＩＣを介して接続端子８１Ｃ１による通信構成として、図９のように、一連の通信線８１Ｃ３によって、通信による連結動作を行う構成を用いることができる。
【００５６】
ここで、図７の構成において、主搬送路Ｍの上流側では、２台の遊技台Ｂごとに１台の遊技媒体貸出装置Ｃが配置した〔共用入金配置型〕の構成にしてあるが、入金部分Ｃ１１・Ｃ１２が定常的に入金可能に動作しているため、遊技媒体貸出装置Ｃに対して、右側の遊技台Ｂで遊技をする遊技者と、左側の遊技台Ｂで遊技する遊技者とが、入金部分Ｃ１１と入金部分Ｃ１２とを利用して貸出を行うことができるので、遊技媒体貸出装置Ｃの稼働率を向上することになる。
【００５７】
この場合に、入金部分Ｃ１１と入金部分Ｃ１２とに、異なる遊技者がほぼ同時に入金したときには、両者に貸出す遊技媒体が貸出口Ｃｘから連続して送出されてしまうので、後記のように、１つの入金部分、例えば、入金部分Ｃ１２の入金に対応して貸出動作を行った直後に、他の入金部分、例えば、入金部分Ｃ１１の入金に対応して貸出動作をするときには、所定時間ｔ１、例えば、５秒程度だけ遅延させて貸出動作を行わせることにより、その遅延時間によって、遊技者が感覚的に識別できるようにしている。
【００５８】
また、必要に応じて、いずれの入金部分に対応して貸出動作を行っているかを、例えば、表示ランプＣ２１ａ・Ｃ２１ｂを赤色で、表示ランプＣ２２ａ・Ｃ２２ｂを緑色で表示するなどによって、識別できるように構成している。
【００５９】
そして、図８の構成が図７の構成と異なる箇所は、１台の遊技台Ｂごとに、図７の場合における遊技媒体貸出装置Ｃと同様の遊技媒体貸出装置Ｃを１台ずつ配置した〔個別入金配置型〕にして構成した箇所である。
【００６０】
したがって、遊技者は、自己の遊技台Ｂの右側・左側のいずれの遊技媒体貸出装置Ｃを使用してもよく、また、入金部分Ｃ１１と入金部分Ｃ１２のいずれを使用してもよい。
【００６１】
つまり、何らかの故障で、右側の遊技媒体貸出装置Ｃが使用不能になった場合には、左側の遊技媒体貸出装置Ｃの入金部分Ｃ１１と入金部分Ｃ１２とを左側の遊技台Ｂの遊技者と右側の遊技台Ｂの遊技者とに共用させて貸出動作を行えばよいので、装置の稼働率が向上することになる。
【００６２】
この場合も、上記の図７の構成の場合と同様に、遅延時間によって感覚的に識別させるとともに、必要に応じて、赤色の表示ランプＣ２１ａ・Ｃ２１ｂと緑色の表示ランプＣ２２ａ・Ｃ２２ｂなどにより識別をさせるように構成している。
【００６３】
ここで、上記のように、１つの遊技媒体貸出装置Ｃを遊技者が共用して使用する状態の体系を〔共用体系〕といい、図８の構成の正常時のように、各遊技媒体貸出装置Ｃを別個に使用する体系を〔各個別用体系〕という。
【００６４】
こうした〔共用体系〕の制御と、〔各個別用体系〕の制御とを同一の制御部分によって行わせるために、貸出部分Ｃ１３の制御部５１に、例えば、図１１の〔制御処理フロー〕による制御処理を行わせるように構成してある。なお、各制御部５１・５２・５３・５４の各部分における定常の動作は、上記の第１実施例の構成で述べたとおりである。
【００６５】
上記の〔共用体系〕と〔各個別用体系〕とのいずれにより処理にするかの切り換えは、図３・図１０の構成では、制御部５１の設定操作部分７７に設けた切換スイッチ（図示せず）によって行う。
【００６６】
こうした切り換えを、収納部分１１０に設けた図６の制御部５４の設定操作部分７７での操作にもとづく切換情報、または、店内を管理する管理所に設けた制御部の設定操作部分（図示せず）との通信線を接続する接続端子（図示接続せず）を設けておき、その通信線線を介して与えられる設定操作部分での設定にもとづく切換情報を制御部５１のデータ用メモリ７５または作業用メモリ７３に記憶して切換制御させるように変更した構成にしてもよい。
【００６７】
以下、図１１の制御処理フローを説明する。
◆ステップＳＰ１では、設定操作部７７の切換スイッチにより設定されている〔各個別用体系〕か、〔共用体系〕かの情報を取り込んで、次のステップＳＰ２に移行する。
【００６８】
◆ステップＳＰ２では、処理体系が〔各個別用体系〕になっているか否かを判別する。〔各個別用体系〕になっているときは次のステップＳＰ３に移行し、そうでないときは、〔共用体系〕なので、ステップＳＰ１１に移行する。
【００６９】
◆ステップＳＰ３では、「入金情報」が与えられているか否かを判別する。「入金情報」が与えられているときは次のステップＳＰ４に移行し、そうでないときは、このステップＳＰ３を所定時間ｔ２、例えば、２秒ごとに繰り返す。なお、この所定時間ｔ２は、データ用メモリ７５に予め記憶した時間データを時計回路７６で計時して得ている。
【００７０】
◆ステップＳＰ４では、まず、他の入金部分の入金を保留させる。例えば、ステップＳＰ３で得られた「入金情報」が入金部分Ｃ１１による「入金情報」であったことにする。この場合には、他の入金部分Ｃ１２での入金を保留する。ここで、入金の保留とは、次の処理のいずれか１つを行うものである。
【００７１】
第１の保留は、紙幣１００が入金される入口の部分の位置で紙幣１００を停留させておくものである。第２の保留は、紙幣１００を正規のものであることを判別した状態の位置で停留させ、遊技媒体の不足などにより遊技媒体を貸出できないときには、所定の戻し口に戻し出せる状態にしておくものである。
【００７２】
次に、上記の「入金情報」が得られた入金部分に対応する表示ランプ、この場合には、表示ランプＣ２１ａ・Ｃ２１ｂを点灯して、「入金情報」の金額に対応する数量の遊技媒体を貸し出す動作を行った後に、次のステップＳＰ５に移行する。
【００７３】
◆ステップＳＰ５では、設定操作部分７７などによって、〔各個別用体系〕の処理体系に変更されたり、装置の動作を停止し、または、営業を終了する旨の情報が入力されているか否かを判別する。これらの情報が入力されているときはステップＳＰ１４に移行し、そうでないときは、〔共用体系〕を続行することになるので、次のステップＳＰ６に移行する。
【００７４】
◆ステップＳＰ６では、ステップＳＰ３で得られた「入金情報」に対応する入金部分、つまり、その「入金情報」を与えた入金部分を表す符号、この場合には、入金部分Ｃ１１なので、例えば、Ｃ１１を作業用メモリ７３に記憶した後に、次のステップＳＰ７に移行する。
【００７５】
◆ステップＳＰ７では、図示していないが、まず、上記のステップＳＰ３と同様に、「入金情報」が得られるまで、所定時間ｔ２、例えば、２秒ごとに判別を繰り返す。そして、「入金情報」が得られたときに、その「入金情報」が得られた入金部分が、ステップＳＰ６で記憶した入金部分と同一の入金部分、この場合には、入金部分Ｃ１１と同一の入金部分であるか否かを判別する。
【００７６】
同一の入金部分であるときは、ステップＳＰ４に戻り、そうでないときは次のステップＳＰ８に移行する。ここでの判別によって、先順の貸出を行った直後の貸出が先順と異なる他の入金部分、この場合には、入金部分Ｃ１２であることを判別しているわけである。
【００７７】
◆ステップＳＰ８では、まず、ステップＳＰ４と同様に、他の入金部分の入金を保留させる。そして、所定時間ｔ１、例えば、５秒程度だけ遅延させて、入金に対応する遊技媒体を貸し出した後に、次のステップＳＰ９に移行する。
【００７８】
ここで、所定時間ｔ１は、ステップＳＰ３での所定時間ｔ２と同様にして計時する。そして、この所定時間ｔ１の遅延によって、遊技者は、先順の貸出とは別の他の入金部分による入金にもとづいて貸出されたものであることを、感覚的に識別できることになる。
【００７９】
◆ステップＳＰ９では、ステップＳＰ５と同様の判別を行い、〔各個別用体系〕の処理体系に変更されたり、装置の動作を停止し、または、営業を終了する旨の情報が入力されているときはステップＳＰ１４に移行し、そうでないときは、〔共用体系〕を続行することになるので、次のステップＳＰ１０に移行する。
【００８０】
◆ステップＳＰ１０では、ステップＳＰ６と同様に、ステップＳＰ７で得られた「入金情報」に対応する入金部分、つまり、その「入金情報」を与えた入金部分を表す符号、この場合には、入金部分Ｃ１２なので、例えば、Ｃ１２を作業用メモリ７３に記憶した後に、ステップＳＰ７に戻る。
【００８１】
◆ステップＳＰ１１では、ステップＳＰ３と同様の判別を行い、「入金情報」が与えられているときは次のステップＳＰ１２に移行する。
◆ステップＳＰ１２・ステップＳＰ１３では、ステップＳＰ４・ステップＳＰ５と同様の処理を行い、〔共用体系〕の処理体系に変更されたり、装置の動作を停止し、または、営業を終了する旨の情報が入力されているときは次のステップＳＰ１４に移行し、そうでないときは、〔各個別用体系〕を続行することになるので、ステップＳＰ１１に戻る。
【００８２】
◆ステップＳＰ１４では、現在の処理体系とは異なる処理体系に変更された情報が入力されているか否かを判別する。変更されているときは、ステップＳＰ１に戻り、そうでないときは、装置の動作を停止し、または、営業を終了する旨の情報が入力されているときなので、次のステップＳＰ１５に移行する。
【００８３】
◆ステップＳＰ１５では、装置の動作を停止するのに必要な処理と、ステップＳＰ６・ステップＳＰ１０で記憶したデータを消去する処理などを行って終了する。
【００８４】
なお、上記の構成では、２つの入金部分Ｃ１１・Ｃ１２を設けた構成にしているが、３つ以上の複数の入金部分を設けて、その各入金部分に対応させて、上記と同様の動作を行わせるように構成できることは言うまでもない。
【００８５】
つまり、この実施例の構成は、概括的には、第１には、
入金部分Ｃ１１・Ｃ１２に入金された「入金情報」に対応して遊技媒体を１つの貸出口Ｃｘから送出する貸出部分Ｃ１３を設けた遊技媒体貸出装置Ｃにおいて、
複数の上記の入金部分Ｃ１１・Ｃ１２を定常的に入金可能に動作させるとともに、各上記の入金部分Ｃ１１・Ｃ１２からの各上記の「入金情報」に対応して順次に上記の遊技媒体を上記の貸出口Ｃｘから送出する入金対応貸出手段
を設けた上記の第２の構成を構成していることになるものである。
【００８６】
第２には、上記の第２の構成に加えて、
１つの上記の入金部分、例えば、入金部分Ｃ１１から上記の「入金情報」が与えられたときに、他の上記の入金部分、例えば、入金部分Ｃ１２の上記の入金を保留する入金保留手段
を設けた上記の第３の構成を構成していることになるものである。
【００８７】
第３には、上記の第３の構成に加えて、
１つの上記の入金部分、例えば、入金部分Ｃ１１からの上記の「入金情報」に対応して上記の送出を行った直後に、他の上記の入金部分、例えば、入金部分Ｃ１２に対応して上記の送出を行うときに、先順の上記の入金部分とは異なる上記の入金部分に対応する上記の送出であることを識別させるために、所定時間、例えば、５秒程度だけ遅延させて上記の送出を行う遅延送出手段
を設けた上記の第４の構成を構成していることになるものである。
【００８８】
第４には、上記の第２の構成〜第４の構成において、
上記の送出を行うときに、上記の送出に対応する上記の入金部分、例えば、入金部分Ｃ１１か、入力部分Ｃ１２かを識別するための表示を行う表示部分、例えば、表示ランプＣ２１ａ・Ｃ２１ｂ・Ｃ２２ａ・Ｃ２２ｂを設けた上記の第５の構成を構成していることになるものである。
【００８９】
第５には、上記の第２の構成〜第５の構成において、
複数の上記の入金部分、例えば、入力部分Ｃ１１・Ｃ１２を、上記の入金を共用の収納部分１１０に搬送して収納するための上記の入金部分Ｃ１１と、上記の入金を上記の入金部分Ｃ１２に後続させた個別の収納部分１２０に収納するための上記の入金部分Ｃ１２とにより構成した上記の第５の構成を構成していることになるものである。
【００９０】
第６には、遊技島装置５００において、
上記の第２の構成〜第６の構成による遊技媒体貸出装置Ｃを設けた上記の第６の構成を構成していることになるものである。
【００９１】
〔変形実施〕
この発明は、次のように変形して実施することを含むものである。
（１）上記の第１の構成〜第７の構成において、入金部分Ｃ１１を上側に配置し、入金部分Ｃ１２を下側に配置するように変更して構成する。
（２）上記の第１の構成〜第７の構成において、入金部分Ｃ１１と入金部分Ｃ１２とを左右に並べて配置するように変更して構成する。
【００９２】
（３）図９の構成における通信線８１Ｃ３の配線において、所要の箇所に、配線中継部分８１ｚを設けて構成する。なお、配線中継部分８１ｚは、例えば、中継端子を設けた中継箱またはコネクターである。
（４）図９の構成における通信線８１Ｃ３の配線において、各接続端子８１Ｃ１の箇所を配線中継部分として、接続端子８１Ｃを順次に通るように配線して構成する。
（５）上記の第１の構成〜第７の構成と上記（１）〜（４）の構成とを上記の第３従来技術の遊技島装置５００に適用して構成する。
【００９３】
【発明の効果】
この発明によれば、以上のように、複数の入金部分のうちの所定の入金部分のみを入金可能に動作させて、他の入金部分を入金不能にすることができるので、入金を搬送する搬送路の故障や入金を収納する共用の収納部分が収納不能になった際に、共用の収納部分に対する入金部分を入金不能にして故障や収納不能を回避するするとともに、補充した個別の収納部分に対する入金部分のみを入金可能にして収納することができる。
【００９４】
また、故障や収納不能が回復した際には、夜間または休業日まで、補充した入金部分を入金不能にして、元の入金部分を入金可能にすることにより、遊技場の稼働効率を低下させずに済ませることができる。
【００９５】
さらに、複数の入金部分を定常的に入金可能な動作状態にするとともに、複数の入金部分からの「入金情報」対応させて遊技媒体の貸出動作を行っているため、遊技媒体貸出装置の稼働率を向上できる。
【００９６】
そして、〔共用体系〕と〔各個別用体系〕とに切り換えて使用できるように構成してあるため、さらに、稼働率を向上させ得るほか、〔共用体系〕での使用時には、先順の貸出に対して、その直後の貸出を所定時間だけ遅延させて、遊技者にそれぞれの貸出に対応する入金部分を感覚的に識別できるようにしているので、遊技者に混乱を起こさせずに、稼働率を向上させることができるなどの特長が得られるという効果がある。
【図面の簡単な説明】
図面中、図１〜図１１はこの発明の実施例を、また、図１２・図１３は従来技術を示し、各図の内容は次のとおりである。
【図１】全体構成側面・要部構成外観斜視図
【図２】要部ブロック構成図
【図３】要部ブロック構成図
【図４】要部ブロック構成図
【図５】要部ブロック構成図
【図６】要部ブロック構成図
【図７】全体構成側面・横断平面・要部構成外観斜視図
【図８】全体構成側面・横断平面・要部構成外観斜視図
【図９】要部ブロック構成図
【図１０】要部ブロック構成図
【図１１】要部制御処理フロー図
【図１２】全体構成側面・横断平面・要部構成外観斜視図
【図１３】全体構成側面・横断平面・要部構成外観斜視図
【符号の説明】
２  合流搬送部分
４  主搬送部分
５１  制御部
５２  制御部
５３  制御部
５４  制御部
７１  入出力ポート
７２  ＣＰＵ
７３  作業用メモリ
７４  処理用メモリ
７５  データ用メモリ
７６  時計回路
７７  設定操作部
７８  表示部分
８１Ａ１  接続端子
８１Ａ２  接続端子
８１Ａ３  接続線
８１Ｂ１  接続端子
８１Ｂ２  接続端子
８１Ｂ３  接続線
８１Ｃ１  接続端子
８１Ｃ２  接続端子
８１Ｃ３  通信線
１００  紙幣
１１０  収納部分
１２０  収納部分
５００  遊技島装置
Ｂ  遊技台
Ｃ  遊技媒体貸出装置
Ｃ１１  入金部分
Ｃ１１ａ  入金入口
Ｃ１２  入金部分
Ｃ１２ａ  入金入口
Ｃ１２Ｘ  補充用取付場所
Ｃ１３  貸出部分
Ｃ２１ａ  表示ランプ
Ｃ２１ｂ  表示ランプ
Ｃ２２ａ  表示ランプ
Ｃ２２ｂ  表示ランプ
Ｃｘ  貸出口
Ｃｚ  閉塞用蓋
Ｍ  主搬送路
Ｓ  副搬送路
Ｓ１  電源スイッチ
Ｓ２  電源スイッチ
Ｓ３  電源スイッチ
【図１】
2004350855.tif 000003
【図２】
2004350855.tif 000004
【図３】
2004350855.tif 000005
【図４】
2004350855.tif 000006
【図５】
2004350855.tif 000007
【図６】
2004350855.tif 000008
【図７】
2004350855.tif 000009
【図８】
2004350855.tif 000010
【図９】
2004350855.tif 000011
【図１０】
2004350855.tif 000012
【図１１】
2004350855.tif 000013
【図１２】
2004350855.tif 000014
【図１３】
2004350855.tif 000015